Podtech/llm-jp-corpus-v4-ja_patent huggingface dataset:
【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
Ａ鎖及びＢ鎖を形成する２つのポリペプチドを含むインスリン誘導体又はその薬学的に許容される塩であって、Ａ鎖のアミノ酸配列はＳＥＱ  ＩＤ  Ｎｏ．１〜６から選択されると共に、Ｂ鎖のアミノ酸配列はＳＥＱ  ＩＤ  Ｎｏ．７〜１０から選択され、
前記Ａ鎖のアミノ酸配列と、前記Ｂ鎖のアミノ酸配列との組み合わせが、ＳＥＱ  ＩＤ  Ｎｏ．１とＳＥＱ  ＩＤ  Ｎｏ．７との組み合わせ、ＳＥＱ  ＩＤ  Ｎｏ．１とＳＥＱ  ＩＤ  Ｎｏ．９との組み合わせ、ＳＥＱ  ＩＤ  Ｎｏ．１とＳＥＱ  ＩＤ  Ｎｏ．１０との組み合わせ、ＳＥＱ  ＩＤ  Ｎｏ．２とＳＥＱ  ＩＤ  Ｎｏ．７との組み合わせ、ＳＥＱ  ＩＤ  Ｎｏ．２とＳＥＱ  ＩＤ  Ｎｏ．９との組み合わせ、ＳＥＱ  ＩＤ  Ｎｏ．２とＳＥＱ  ＩＤ  Ｎｏ．１０との組み合わせ、ＳＥＱ  ＩＤ  Ｎｏ．３とＳＥＱ  ＩＤ  Ｎｏ．７との組み合わせ、ＳＥＱ  ＩＤ  Ｎｏ．３とＳＥＱ  ＩＤ  Ｎｏ．９との組み合わせ、ＳＥＱ  ＩＤ  Ｎｏ．３とＳＥＱ  ＩＤ  Ｎｏ．１０との組み合わせ、ＳＥＱ  ＩＤ  Ｎｏ．４とＳＥＱ  ＩＤ  Ｎｏ．７との組み合わせ、ＳＥＱ  ＩＤ  Ｎｏ．４とＳＥＱ  ＩＤ  Ｎｏ．９との組み合わせ、ＳＥＱ  ＩＤ  Ｎｏ．４とＳＥＱ  ＩＤ  Ｎｏ．１０との組み合わせ、ＳＥＱ  ＩＤ  Ｎｏ．５とＳＥＱ  ＩＤ  Ｎｏ．７との組み合わせ、ＳＥＱ  ＩＤ  Ｎｏ．５とＳＥＱ  ＩＤ  Ｎｏ．９との組み合わせ、ＳＥＱ  ＩＤ  Ｎｏ．５とＳＥＱ  ＩＤ  Ｎｏ．１０との組み合わせ、ＳＥＱ  ＩＤ  Ｎｏ．６とＳＥＱ  ＩＤ  Ｎｏ．７との組み合わせ、ＳＥＱ  ＩＤ  Ｎｏ．６とＳＥＱ  ＩＤ  Ｎｏ．９との組み合わせ、ＳＥＱ  ＩＤ  Ｎｏ．６とＳＥＱ  ＩＤ  Ｎｏ．１０との組み合わせのいずれかであり、
等電点５〜８．５の組み換えヒトインスリンの類似体であり、且つ、式１であることを特徴とするインスリン誘導体又はその薬学的に許容される塩。
【化１】
2011526886.tif 000001
ここで、ＲはＮＨ２基、又は式Ａｓｎ−Ｒ２の基を示し、ここでＲ２は中性Ｌ−アミノ酸又はＮＨ２基を示し；且つ、
Ｒ１は、Ｂ３１Ｌｙｓ−Ｂ３２Ａｒｇ、又はＢ３１Ａｒｇを示し、ここでＢ３Ａｓｎは任意選択的に他のアミノ酸、好適にはＧｌｕに置換することができる。
【請求項２】
前記Ｒ２が、単一の中性Ｌ−アミノ酸又はＮＨ２基を示す請求項１に記載のインスリン誘導体又はその薬学的に許容される塩。
【請求項３】
式１のＲは、式Ａｓｎ−Ｒ２の基を示し、ここでＲ２はＧｌｙを示し、且つ、Ｒ１は、Ｂ３１Ｌｙｓ−Ｂ３２Ａｒｇを示すか、又は、
式１のＲは、式Ａｓｎ−Ｒ２の基を示し、ここでＲ２はＡｌａを示し、且つ、Ｒ１は、Ｂ３１Ｌｙｓ−Ｂ３２Ａｒｇを示すか、又は、
式１のＲは、式Ａｓｎ−Ｒ２の基を示し、ここでＲ２はＳｅｒを示し、且つ、Ｒ１は、Ｂ３１Ｌｙｓ−Ｂ３２Ａｒｇを示すか、又は、
式１のＲは、式Ａｓｎ−Ｒ２の基を示し、ここでＲ２はＴｈｒを示し、且つ、Ｒ１は、Ｂ３１Ｌｙｓ−Ｂ３２Ａｒｇを示すか、又は、
式１のＲは、式Ａｓｎ−Ｒ２の基を示し、ここでＲ２はＮＨ２基を示し、且つ、Ｒ１は、Ｂ３１Ｌｙｓ−Ｂ３２Ａｒｇを示すか、又は、
式１のＲは、ＮＨ２基を示し、且つ、Ｒ１は、Ｂ３１Ｌｙｓ−Ｂ３２Ａｒｇを示すか、又は、
式１のＲは、式Ａｓｎ−Ｒ２の基を示し、ここでＲ２はＧｌｙを示し、Ｒ１は、Ｂ３１Ａｒｇを示すか、又は、
式１のＲは、式Ａｓｎ−Ｒ２の基を示し、ここでＲ２はＡｌａを示し、Ｒ１は、Ｂ３１Ａｒｇを示すか、又は、
式１のＲは、式Ａｓｎ−Ｒ２の基を示し、ここでＲ２はＴｈｒを示し、Ｒ１は、Ｂ３１Ａｒｇを示すか、又は、
式１のＲは、式Ａｓｎ−Ｒ２の基を示し、ここでＲ２はＳｅｒを示し、Ｒ１は、Ｂ３１Ａｒｇを示すか、又は、
式１のＲは、式Ａｓｎ−Ｒ２の基を示し、ここでＲ２はＮＨ２基を示し、Ｒ１は、Ｂ３１Ａｒｇを示すか、又は、
式１のＲは、ＮＨ２基を示し、Ｒ１は、Ｂ３１Ａｒｇを示すか、又は、
式１のＲは、式Ａｓｎ−Ｒ２の基を示し、ここでＲ２はＧｌｙを示し、Ｒ１は、Ｂ３１Ｌｙｓ−Ｂ３２Ａｒｇを示し、且つ、Ｂ３Ａｓｎは、Ｂ３Ｇｌｕで置換されている、請求項２に記載のインスリン誘導体又はその生理学的に許容される塩。
【請求項４】
有効に作用する量の、請求項１〜３のいずれか１項に記載のインスリン誘導体又はその薬学的に許容される塩を含むことを特徴とする医薬組成物。
【請求項５】
１０から５０μｇ／ｍｌの亜鉛を含むことを特徴とする請求項４に記載の医薬組成物。
【請求項６】
糖尿病の治療又は予防のための薬品を製造するための、請求項１〜３のいずれか１項に記載のインスリン誘導体又はその薬学的に許容される塩の使用。
【手続補正２】
【補正対象書類名】明細書
【補正対象項目名】００１４
【補正方法】変更
【補正の内容】
【００１４】
本発明の基本態様は、Ａ鎖及びＢ鎖を構成する２つのポリペプチドを含むインスリン誘導体又はその薬学的に許容される塩であり、ここでＡ鎖のアミノ酸配列はＳＥＱ  ＩＤ  Ｎｏ．１〜６から選択されると共に、Ｂ鎖のアミノ酸配列はＳＥＱ  ＩＤ  Ｎｏ．７〜１０から選択される。本発明による好ましいインスリン誘導体又はその薬学的に許容される塩は、等電点５〜８．５の組み換えヒトインスリン類似体であり、且つ、式１であることを特徴とする。
【手続補正書】
【提出日】平成23年12月26日(2011.12.26)
【手続補正１】
【補正対象書類名】明細書
【補正対象項目名】０００１
【補正方法】変更
【補正の内容】
【０００１】
本発明は、ｐＨ感受性粒子（pH-sensitive particle）、その製造方法および用途に関し、より詳しくは、ｐＨ感受性金属ナノ粒子（pH-sensitive metal nanoparticle）、その製造方法、および光熱治療による細胞死滅を活用した治療用用途に関する。
【手続補正２】
【補正対象書類名】明細書
【補正対象項目名】００５８
【補正方法】変更
【補正の内容】
【００５８】
トリパンブルー染色法は、死んだ細胞のみを選択的に青色に染色する。まず、閾値レーザー出力以下と思料される５５ｍＷのレーザー出力で照射された実験群と比較群のサンプルの場合、両方とも死んだ細胞が発見されない。これは光照射閾値以下の条件でｐＨ感受性金ナノ粒子が毒性を示さないことを意味する。すなわち、抗癌治療用光増感剤の要件である暗条件の非毒特性をｐＨ感受性金ナノ粒子が持っていることを意味する。８５ｍＷ出力のレーザーを用いて光照射を行った場合、実験群のサンプルにのみ選択的に細胞の死滅が起こっていることが分かる。１４０ｍＷ出力のレーザーを用いて光照射を行った場合も、実験群のサンプルにのみ選択的に細胞の死滅が起こっていることが分かる。また、実験群は、１４０ｍＷ出力で光照射した場合が、８５ｍＷ出力で光照射した場合に比べてさらに多くの細胞の死滅が起こったことが分かる。これは、光出力に比例して細胞の死滅を誘導する光熱治療反応が起こったことを意味するとともに、ｐＨ感受性金ナノ粒子が癌の光熱治療に効果的に使用できることを意味する。
【手続補正３】
【補正対象書類名】特許請求の範囲
【補正対象項目名】全文
【補正方法】変更
【補正の内容】
【特許請求の範囲】
【請求項１】
表面に化合物を有する金属ナノ粒子であって、
前記化合物の電荷がｐＨによって変化することを特徴とする、金属ナノ粒子。
【請求項２】
前記金属ナノ粒子は、金属粒子または金属コーティング粒子であることを特徴とする、請求項１に記載の金属ナノ粒子。
【請求項３】
前記金属は、金であることを特徴とする、請求項１または２に記載の金属ナノ粒子。
【請求項４】
前記化合物は、中性およびアルカリ性環境では負電荷であり、酸性環境では正電荷に変化することを特徴とする、請求項１乃至３のいずれか１項に記載の金属ナノ粒子。
【請求項５】
前記化合物の加水分解によって前記化合物の電荷が変化することを特徴とする、請求項４に記載の金属ナノ粒子。
【請求項６】
前記化合物は下記化学式（Ｉ）で表されることを特徴とする、請求項１乃至３のいずれか１項に記載の金属ナノ粒子。
【化１】
2011526883.tif 000001
【請求項７】
前記金属ナノ粒子は、前記化合物の電荷が変化することによって凝集することを特徴とする、請求項１乃至６のいずれか１項に記載の金属ナノ粒子。
【請求項８】
前記金属ナノ粒子は凝集すると長波長の光を吸収することを特徴とする、請求項１、２または７に記載の金属ナノ粒子。
【請求項９】
前記化合物が金属のリガンドに結合することを特徴とする、請求項１乃至８のいずれか１項に記載の金属ナノ粒子。
【請求項１０】
異常細胞を死滅させるために用いるｐＨ感受性金属ナノ粒子であって、
前記ｐＨ感受性金属ナノ粒子を投与して凝集させ、前記凝集した金属ナノ粒子に光を照射することを特徴とする、ｐＨ感受性金属ナノ粒子。
【請求項１１】
前記異常細胞は、酸性のｐＨを示す細胞であることを特徴とする、請求項１０に記載のｐＨ感受性金属ナノ粒子。
【請求項１２】
前記異常細胞は、癌細胞であることを特徴とする、請求項１０または１１に記載のｐＨ感受性金属ナノ粒子。
【請求項１３】
前記金属ナノ粒子は、細胞内に導入されて前記細胞内で凝集することを特徴とする、請求項１０乃至１２のいずれか１項に記載のｐＨ感受性金属ナノ粒子。
【請求項１４】
前記金属ナノ粒子は、金粒子または金コーティング粒子であることを特徴とする、請求項１０乃至１３のいずれか１項に記載のｐＨ感受性金属ナノ粒子。
【請求項１５】
前記化合物の少なくとも一部の電荷が、酸性のｐＨ環境で変化することを特徴とする、請求項１０乃至１４のいずれか１項に記載のｐＨ感受性金属ナノ粒子。
【請求項１６】
前記化合物の電荷が、加水分解によって変化することを特徴とする、請求項１０乃至１５のいずれか１項に記載のｐＨ感受性金属ナノ粒子。
【請求項１７】
酸性のｐＨ環境で前記化合物が加水分解すると、前記化合物の電荷が負電荷から正電荷に変化することを特徴とする、請求項１６に記載のｐＨ感受性金属ナノ粒子。
【請求項１８】
前記化合物は下記化学式（Ｉ）で表されることを特徴とする、請求項１０乃至１４のいずれか１項に記載のｐＨ感受性金属ナノ粒子。
【化２】
2011526883.tif 000002
【請求項１９】
平均粒径が２０ｎｍ以下であることを特徴とする、請求項１０乃至１４のいずれか１項に記載のｐＨ感受性金属ナノ粒子。
【請求項２０】
前記光は、赤色光または赤外光であることを特徴とする、請求項１０乃至１９のいずれか１項に記載のｐＨ感受性金属ナノ粒子。
【請求項２１】
前記光は、レーザーであることを特徴とする、請求項２０に記載のｐＨ感受性金属ナノ粒子。
【請求項２２】
下記化学式（Ｉ）で表されるｐＨ感受性化合物またはその塩。
【化３】
2011526883.tif 000003
【請求項２３】
前記金属ナノ粒子を投与し、前記ナノ粒子の暗視野顕微鏡写真を撮影して、癌を診断するために用いることを特徴とする、請求項１乃至９のいずれか１項に記載の金属ナノ粒子。
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
気体状不飽和炭化水素をハイドロシリル化することによって有機シラン、有機ハロシラン、有機アルコキシシラン及び／又は有機シロキサンを製造するためのバッチ式又は連続式のプロセスであって、
（ａ）不飽和の気体状炭化水素（試薬Ａ）を、噴射エダクタを有する反応ゾーンに供給し、少なくとも１つのケイ素結合水素原子を含むシラン（試薬Ｂ）及び／又はシロキサン（試薬Ｃ）を前記反応ゾーンに供給し、当該反応ゾーンにおいて、前記試薬Ａ並びに前記試薬Ｂ及び／又は試薬Ｃを、ハイドロシリレーション触媒及び溶剤を含む高流量の液体反応媒体と接触させ、ガスインリキッド分散液を形成し、ハイドロシリレーション反応を開始させ、
（ｂ）前記ガスインリキッド分散液をプラグ流気泡反応ゾーンに導き、それにより、前記ハイドロシリレーション反応を完了させ、ハイドロシリル化反応生成物を形成し、
（ｃ）前記プラグ流気泡反応ゾーンから前記ハイドロシリル化反応生成物を回収する
ことを含む、プロセス。
【請求項２】
前記ハイドロシリレーション反応生成物が、気体若しくは液体又はそれらの混合物として前記反応ゾーンから除去される、請求項１に記載のプロセス。
【請求項３】
前記試薬Ａが、端部不飽和アルケン、１〜８個の炭素原子のハロゲン化アルケン、又はそれらの混合物である、請求項１に記載のプロセス。
【請求項４】
前記端部不飽和アルケンが、エチレン、プロピレン、１−ブテン、ブタジエン、メチル−１−ブテン、１−ペンテン、１−ヘキセン、１−ヘプテン及び１−オクテンからなる群から選択され、ハロゲン化アルケンが、１，１，１−トリフルオロプロペン、１，１−ジフルオロエチレン及び１−クロロ−１−フルオロエチレンからなる群から選択される、請求項３に記載のプロセス。
【請求項５】
前記試薬Ａが、端部不飽和アルキン、１〜８個の炭素原子のハロゲン化アルキン又はそれらの混合物である、請求項１に記載のプロセス。
【請求項６】
前記端部不飽和アルキンが、アセチレン、プロピン、１−ブチン、１−ペンチン、１−ヘキシン及び１−オクチンからなる群から選択され、前記ハロゲン化アルキンが、３−クロロプロピン及び３−クロロ−１−ブチンからなる群から選択される、請求項５に記載のプロセス。
【請求項７】
前記試薬Ｂが、一般式
ＲａＨｂＳｉＸ４−ａ−ｂ
［Ｒが、一価の炭化水素ラジカル又は置換された一価の炭化水素ラジカルを表し、１〜６個の炭素原子を有し；Ｘが、ハロゲン又は１〜４個の炭素原子を含むアルコキシ基アルコキシ基を表し；ｂが１又は２であり；ａが０、１、２又は３であり；（ａ＋ｂ）が１、２、３又は４である］を有する、請求項１に記載のプロセス。
【請求項８】
前記試薬Ｂが、トリメトキシシラン、トリエトキシシラン、メチルジメトキシシラン、トリクロロシラン、メチルジクロロシラン、ジメチルクロロシラン、トリメチルシラン及びそれらの混合物からなる群から選択される、請求項７に記載のプロセス。
【請求項９】
前記試薬Ｃが、一般式
Ｒ３Ｓｉ（ＯＳｉＲ２）Ｘ（ＯＳｉＨＲ）ｙＯＳｉＲ３
のシロキサン、一般式
ＨＲ２ＳｉＯＳｉＲ２Ｈ
のジシロキサン、並びにこれらの混合物をからなる群から選択され、
上記の各式において、Ｒが独立して、１〜１８個の炭素原子を含む置換された又は未置換の炭化水素基であり、ｘが２０未満であり、ｙが５以下であり且つ１未満でない、請求項１に記載のプロセス。
【請求項１０】
前記試薬Ｃが、ヘプタメチルトリシロキサン、テトラメチルジシロキサン及びそれらの混合物から選択される、請求項９に記載のプロセス
【請求項１１】
促進剤をさらに含む、請求項１に記載のプロセス。
【請求項１２】
前記溶剤が、ハイドロシリレーション反応生成物、シロキサン流体、有機シロキサン流体、アルカン、エチレングリコールのエーテル、ジエチレングリコールのエーテル、トリエチレングリコールのエーテル、テトラエチレングリコールのエーテル、プロピレングリコールのエーテル、クメン、トルエン、キシレン、ｏ−ジクロロベンゼン及びそれらの混合物からなる群から選択される、請求項１に記載のプロセス。
【請求項１３】
前記ハイドロシリレーション反応生成物が、ビニルクロロシラン、ビニルアルコキシシラン、ビス（クロロシリル）アルカン、ビス（アルコキシシリル）アルカン又はそれらの混合物である、請求項１２に記載のプロセス。
【請求項１４】
前記シロキサン流体溶剤が、直鎖ジメチルシロキサン及び環式ポリジメチルシロキサンからなる群から選択され、前記アルカンが、ヘプタン、ｎ−オクタン、ｎ−ノナン、ｎ−デカン、ｎ−ウンデカン、ｎ−ドデカン及びそれらの混合物からなる群から選択される、請求項１２に記載のプロセス。
【請求項１５】
前記シラン又はシロキサンを、前記噴射エダクタ反応ゾーンに供給する前に、気体状炭化水素と予混合された液体又は気体とする、請求項１に記載のプロセス。
【請求項１６】
前記シラン又はシロキサンを、前記噴射エダクタ反応ゾーンに導入する前に、反応媒体と予混合された液体又は気体とする、請求項１に記載のプロセス。
【請求項１７】
前記反応が、約１２０℃〜約１８０℃の温度で行われる、請求項１に記載のプロセス。
【請求項１８】
前記反応が、約５０℃〜約１３０℃の温度で行われる、請求項１に記載のプロセス。
【請求項１９】
前記反応ゾーンが、約４１気圧ゲージ（６００ｐｓｉｇ）未満の圧力にある、請求項１に記載のプロセス。
【請求項２０】
前記試薬Ｂ、又は前記試薬Ｃ、又は前記試薬Ｂ及び前記試薬Ｃの混合物に対する前記試薬Ａの供給モル比を、前記試薬Ｂ又は前記試薬Ｃ上のケイ素結合水素原子サイト当たり１を超えるよう維持する、請求項１に記載のプロセス。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
物品を包装するためのシステムであって、アイテムの第１の流れを形成するようにアイテムを輸送するための第１のコンベアと、アイテムの第２の流れを形成するようにアイテムを輸送するための第２のコンベアと、前記第１のコンベアからの一つ以上のアイテムと係合すると共に、それらが輸送される方向と実質的に交差する方向に、そのように係合されたアイテムを移送することができ、かつ、前記第１および第２のコンベアが連続的に動いている間に、前記第２のコンベア上の隣接ポイントに、これらのアイテムを配置するための第１のツールと、を具備してなり、前記システムはさらに、アイテムの第３の流れを形成するようにアイテムを輸送するための第３のコンベアと、前記第３のコンベアからのアイテムと係合すると共に、前記第３のコンベアと前記第２のコンベアとの間でそのように係合されたアイテムを輸送できる第２のツールと、を具備してなることを特徴とするシステム。
【請求項２】
一方の流れのアイテムは物品であり、かつ、前記他方の流れの一つのアイテムはカートンであり、かつ、前記第１のツールおよび／または第２のツールは、一つ以上の装填されたカートンを得るために、
ａ．前記流れの前記一方を形成する前記物品の選択されたものと係合すると共に、前記他方の流れの前記一方を形成する選択されたカートン内に、それらを装填するように動作可能であり、かつ／または、
ｂ．前記他方の流れの前記一方を形成する前記カートンの選択されたものと係合すると共に、前記一方の流れの前記物品の選択されたものに対して、それらを適用するように動作可能であることを特徴とする請求項１に記載のシステム。
【請求項３】
さらに、中間積み重ねステーションと、前記流れが連続的に動いている間に前記積み重ねステーション上へ前記流れの一つからのアイテムを移送するように動作可能であるツールと、前記中間積み重ねステーション上にそのように移送されたアイテムのグループと係合すると共に、前記流れの一つを形成するカートン内に、そのように係合されたアイテムのグループを移送するように動作可能なツールと、を具備してなることを特徴とする請求項１または請求項２に記載のシステム。
【請求項４】
動いているコンベアからのアイテムと係合するか、あるいは動いているコンベアの上にアイテムを置くように動作可能である前記あるいは各ツールは、それに対してヘッドが取り付けられる前記ツールの動きとは関係なく、前記コンベアの動きの方向に動作できるヘッドを具備してなることを特徴とする請求項１ないし請求項３のいずれか１項に記載のシステム。
【請求項５】
前記ヘッドは、往復直線動作を行えることを特徴とする請求項４に記載のシステム。
【請求項６】
前記ヘッドは、それが係合状態となるべきアイテムの流れの速度に適合するように動作可能であって、そのように係合したとき、この流れの中の前記アイテムの速度は、この流れからの選択されたアイテムとの前記ヘッドの係合によって影響を受けないようになっていることを特徴とする請求項４または請求項５に記載のシステム。
【請求項７】
物品を包装するための方法であって、アイテムの第１の流れを形成するために第１のコンベアを用いてアイテムを輸送することと、前記第１の流れからのアイテムと係合することと、前記第１の流れが輸送される方向と実質的に交差する方向に、そのように係合されたアイテムを移送すると共に、前記二つの流れの少なくとも一方が連続的に動いている間に、第２の流れを形成するために、第２のコンベア上の隣接ポイントに前記アイテムを配置して、前記物品を輸送することと、を具備し、第３の流れを形成するために第３のコンベア上でアイテムを輸送すること、ならびに前記第３のコンベアからのアイテムと係合すると共に前記第２のコンベアに対してそのように係合された前記アイテムを移送することを特徴とする方法。
【請求項８】
一方の流れのアイテムは物品であり、かつ、他方の流れの一つのアイテムはカートンであり、かつ、一つ以上の装填されたカートンを得るために、
ａ．前記流れの一つを形成する前記物品の選択されたものと係合すると共に前記他方の流れの一方を形成する選択されたカートン内にそれらを装填すること、および／または
ｂ．前記流れの一つを形成する前記カートンの選択されたものと係合すると共に、他方の流れの一つを形成する前記物品の選択されたものに対して、それらを適用することを、さらに具備することを特徴とする請求項７に記載の方法。
【請求項９】
さらに、前記流れが連続的に動いている間に、中間積み重ねステーション上に前記流れの一方からアイテムを移送することと、前記中間積み重ねステーション上に、そのように移送されたアイテムのグループと係合すること、および前記流れの一方を形成するカートン内に、そのように係合されたアイテムのグループを移送することと、を具備することを特徴とする請求項７または請求項８に記載の方法。
【請求項１０】
アイテムの流れからのアイテムの前記グループとそのように係合するための可動ヘッドを有するツールを用いること、および前記流れの中で連続的に動いている間に前記選択されたアイテムがそのように係合されることを可能とするように前記可動ヘッドを制御することをさらに具備することを特徴とする請求項７ないし請求項９のいずれか１項に記載の方法。
【請求項１１】
それが係合状態となるべきアイテムの流れの速度に合致するように前記ヘッドの前記可動部を加速させることをさらに具備し、そのように係合したとき、前記流れの中の前記アイテムの速度は、前記流れからの選択されたアイテムとの前記ヘッドの係合によって影響を受けないことを特徴とする請求項１０に記載の方法。
【請求項１２】
さらに第２のツールを具備してなり、前記第１のコンベア上のアイテムの第１の流れは、二つ以上の列の離間したグループへと形作られた物品の流れからなり、前記第２のコンベア上のアイテムの第２の流れは、「Ｕ」字形カートンの流れからなり、かつ、前記第１のツールは、前記第２の流れからの選択されたカートンと係合すると共に前記第１の流れの前記二つの列のうちの第１のものにおける物品の選択されたグループに対して前記カートンを適用するように動作可能であり、かつ、前記第２のツールは、前記第２の流れからの選択されたカートンと係合すると共に、前記第２の流れの前記列のうちの第２のものからの物品の選択されたグループに対して前記選択されたカートンを適用するよう動作可能であることを特徴とする請求項１に記載のシステム。
【請求項１３】
前記第１の流れを形成するグループ化された物品の列は、前記グループを形成する前記物品の高さよりも小さな距離だけ、互いに離間させられていることを特徴とする請求項１２に記載のシステム。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
カートンブランクを１つ以上の製品に活用するための梱包サブシステムであって、該梱包サブシステムは、
前記カートンブランクを保持するためのカートンホッパと、
該ホッパから前記カートンブランクを取り出し、且つ該カートンブランクを第１コンベアに載置するための供給機構と、
前記第１コンベアの周りに前記カートンブランクのパネルを概略逆Ｕ字状に折りたたむための折りたたみ機構と、
前記概略Ｕ字状に折りたたまれた前記カートンブランクを取り上げて、第２コンベア上において搬送された１つ以上の製品の周りに折りたたまれたカートンブランクを載置するための移送機構と、
を具備していることを特徴とする梱包サブシステム。
【請求項２】
前記第１コンベアもしくは第２コンベアのいずれか、または前記第１コンベアおよび第２コンベアの双方は連続的に移動することを特徴とする請求項１に記載の梱包サブシステム。
【請求項３】
前記第２コンベアは前記第１コンベアに平行であることを特徴とする請求項１または２に記載の梱包サブシステム。
【請求項４】
請求項１〜３のいずれか一項に記載のサブシステムを具備した梱包装置。
【請求項５】
梱包される製品の流れを供給するための製品コンベアと、
第１カートンブランクを格納するための第１カートンホッパと、
第２カートンブランクを格納するための第２カートンホッパと、
第１コンベア上に前記第１カートンブランクを載置するための第１供給機構と、
投入コンベアからのグループ化された製品を受け入れるための第２コンベアおよび第３コンベア上に前記第２カートンブランクを載置するための第２供給機構と、を具備し、
少なくとも１つの移送機構は前記投入コンベアから前記第１コンベアまたは第３コンベアのいずれかへの製品の移動を可能にし、前記製品は個々の前記第１ブランクまたは第２ブランク内に梱包されることを特徴とする梱包装置。
【請求項６】
前記梱包装置は、前記投入コンベアと前記第１コンベアとの間の製品の移動または前記第２コンベアと前記第３コンベアとの間のカートンブランクの移動を可能にした第２移送機構をさらに具備していることを特徴とする請求項５に記載の梱包装置。
【請求項７】
前記第１移送機構または第２移送機構は交換可能なヘッドユニットを具備し、該交換可能なヘッドユニットは異なったタイプのカートンもしくは製品を搬送することおよび／または製品移送とカートン移送との間の切り替えを行うことが可能であることを特徴とする請求項５または６に記載の梱包装置。
【請求項８】
２つ以上の梱包サブシステムを具備し、各々のサブシステムはカートン内に製品を梱包することが可能な梱包装置において、
前記梱包サブシステムは梱包される製品の共通の出所を共有し、少なくとも１つの移送機構が、前記共通の出所から２つ以上の前記梱包サブシステムのいずれかに製品を移送するために設けられていることを特徴とする梱包装置。
【請求項９】
前記２つの梱包サブシステムの各々は、異なったタイプまたは形式の製品を梱包することを特徴とする請求項８に記載の梱包装置。
【請求項１０】
２つ以上の前記梱包サブシステムの１つの梱包サブシステムによって処理された前記カートンは、２つ以上の前記梱包サブシステムの別の梱包サブシステムによって処理された前記カートン内に載置されることを特徴とする請求項９に記載の梱包装置。
【請求項１１】
パッケージを連続的に形成する方法であって、
第１コンベア上にカートンブランクの連続的な流れを供給するステップと、
第２コンベア上に製品の連続的な流れを供給するステップと、
前記ブランクを前記第１コンベアの周りに逆Ｕ字状構造体に折りたたむステップと、
少なくとも１つの前記逆Ｕ字状構造体を連続的に取り上げて、該逆Ｕ字状構造体を前記第２コンベア上の１つ以上の製品に関して載置するステップと、
前記カートンブランクを折りたたんで、製品のグループの周りのカートンの構成を完成させて、パッケージの連続的な流れを形成するステップと、
を含んでいることを特徴とするパッケージを連続的に形成する方法。
【請求項１２】
前記カートンブランクは前記パッケージの形成の間に連続的に移動していることを特徴とする請求項１１に記載のパッケージを連続的に形成する方法。
【請求項１３】
前記カートンブランクは前記パッケージの形成の間に連続的に移動していることを特徴とする請求項１１または１２に記載のパッケージを連続的に形成する方法。
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
揮発性材料ディスペンサ用のオーバキャップであって、
放出端のあるバルブステムを有する容器上への取り付けに適合した、ハウジングと、
前記バルブステムへの係合に適合した、バルブ接続部と、
前記バルブ接続部から延びる固定具と、
前記固定具が成す面またはその面の下に配置されたヒンジにより前記ハウジングへ取り付けられたトリガと、
前記バルブステムを起動させるために前記固定具と相互作用して前記バルブ接続部を加圧する、前記トリガ内に配置された接触部と、
を備える、オーバキャップ。
【請求項２】
前記バルブ接続部から延びる前記固定具は、少なくとも１つの突起を備える、請求項１に記載のオーバキャップ。
【請求項３】
前記トリガ内に配置された前記接触部は、少なくとも１つのノッチを備える、請求項２に記載のオーバキャップ。
【請求項４】
前記バルブ接続部から延びる前記固定具は、環状リングを備える、請求項１に記載のオーバキャップ。
【請求項５】
前記トリガ内に配置された前記接触部は、そこから延びるレッジを備える、請求項４に記載のオーバキャップ。
【請求項６】
前記ヒンジは一体ヒンジである、請求項１に記載のオーバキャップ。
【請求項７】
前記トリガは前記ハウジングに一体的に取り付けられている、請求項１に記載のオーバキャップ。
【請求項８】
前記トリガは、トリガを貫通する放出開口を含み、前記バルブ接続部は、前記トリガの放出開口に隣接する位置まで延びている、請求項１に記載のオーバキャップ。
【請求項９】
容器と組合わされる、請求項１に記載のオーバキャップ。
【請求項１０】
揮発性物質ディスペンサを起動する方法であって、
放出端のあるバルブステムを有する容器上への取り付けに適合したハウジングと、前記バルブステムへの係合に適合したバルブ接続部と、前記バルブ接続部から延びる固定具と、前記固定具が成す面またはその面の下で前記ハウジングへ一体的に取り付けられたトリガと、前記トリガ内に配置された接触部と、を備える、揮発性物質ディスペンサを提供し、
前記トリガの動きによって前記接触部が前記固定具と相互作用して、前記バルブ接続部を移動させるために、前記固定具により画定される面に概ね平行な方向に前記トリガを押しつける、方法。
【請求項１１】
容器を提供するステップを更に含む、請求項１０に記載の方法。
【手続補正２】
【補正対象書類名】明細書
【補正対象項目名】００２８
【補正方法】変更
【補正の内容】
【００２８】
図１０Ａ〜１０Ｃ、１１Ａ、１１Ｂ、１２Ａ、１２Ｂ、１３を参照すると、オーバキャップ５４は更にバルブ接続部１３０を含んでいる。バルブ接続部１３０は、垂直に長く延びたチューブ部１３２を含み、その末広がりの先端１３４は、バルブステム６８との係合に適合した開口１３６を形成する。バルブ接続部１３０は更に、斜め方向に延びるチューブ延長部１３８を含み、これは、垂直に延びたチューブ部１３２と一体に形成され、流体がこのチューブ部１３２、１３８を通って移動できるようになっている。チューブ延長部１３８は、トリガ９６の放出路１１０に隣接する地点にまで延び、そこで放出路１１０の中に挿入されたノズル１４０、または斜め方向に延びるチューブ延長部１３８の先端自体が、チューブ部１３８と流体連通される。図１０Ａ、１０Ｂ、１０Ｃに示すように、チューブ部１３２と１３８との間は、角度Ｂを成し、この角度Ｂは、バルブ接続部１３０がトリガ９６の内部に嵌合し、かつ互いに補完する形状となるように製造される。
【手続補正書】
【提出日】平成24年6月19日(2012.6.19)
【手続補正１】
【補正対象書類名】明細書
【補正対象項目名】０００５
【補正方法】変更
【補正の内容】
【０００５】
図１を参照すると、シラン系（silane system）において、シリコンは、成長する結晶粒子上に不均一に析出する（１）。また、シランは分解され、シリコン気相が生成される（３）。当該シリコン気相は均一に核形成され、不所望のシリコンダスト（同義的にシリコン”微粒子”若しくは”粉末”と称する）が形成され（４）、そして、成長するシリコン粒子上に析出されうる（６）。シリコン微粒子は、シラン（２）から、若しくはシリコン気相（５）からシリコンを析出させることにより、サイズが大きくなる。当該微粒子は、凝集しより大きな微粒子（７）を形成しうる。また、シリコン微粒子はより大きな成長シリコン粒子と結合し、換言すれば、シリコン微粒子は、当該より大きな成長シリコン粒子（８）により取り除かれる。
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
二重壁を有する金属容器を製造する方法であって、
直径Ｘを有する第１金属容器を準備すること、
直径Ｘよりも大きい直径Ｙを有する第２金属容器を準備すること、
第１金属容器を第２金属容器に挿入すること、及び
第１金属容器の第１部分と第２金属容器の第１部分との間に隙間ができるように第１金属容器と第２金属容器とを結合することを含み、前記結合は、拡張ダイを第１金属容器の開口端に挿入して第１金属容器の第２部分の直径Ｘを拡張すること、及び、第２金属容器の第２部分の直径Ｙを縮小して第１金属容器と第２金属容器とを結合することを含んでおり、
閉鎖具を受け入れることができるように、二重壁を有する金属容器の開口部を縮小すること、を含んでいる、方法。
【請求項２】
第１金属容器の第２部分の直径Ｘが拡張されると、第２金属容器の第３部分の直径Ｙが拡張する、請求項１の方法。
【請求項３】
第１金属容器及び／又は第２金属容器はリブを有する、請求項１の方法。
【請求項４】
拡張ダイの挿入は、第２金属容器の第２部分の直径Ｙを縮小する前に行われる、請求項１の方法。
【請求項５】
第２金属容器の第２部分の直径Ｙの縮小は、拡張ダイを挿入する前に行われる、請求項１の方法。
【請求項６】
二重壁を有する金属容器を製造する方法であって、
直径Ｘ及び高さＨを有する第１金属容器を準備すること、
直径Ｘよりも大きい直径Ｙ及び高さＨよりも低い高さＪを有する第２金属容器を準備すること、
第１金属容器を第２金属容器に挿入すること、及び
第１金属容器の第１部分と第２金属容器の第１部分との間に隙間ができるように第１金属容器と第２金属容器とを結合することを含み、
第１金属容器と第２金属容器との結合は、第１金属容器の上部と第２金属容器の上部を縮小すること、及び、縮小する前に、第１金属容器の第２部分の直径Ｘと第２金属容器の第２部分の直径Ｙを拡張することを含んでいる、方法。
【請求項７】
第１金属容器及び／又は第２金属容器はリブを有する、請求項６の方法。
【請求項８】
二重壁を有する金属容器を製造する方法であって、
直径Ｘを有する第１金属容器を準備すること、
直径Ｘよりも大きい直径Ｙを有する第２金属容器を準備すること、
第１金属容器を第２金属容器に挿入すること、及び
第１金属容器の第１部分と第２金属容器の第１部分との間に隙間ができるように第１金属容器と第２金属容器とを結合することを含み、前記結合は、
拡張ダイを第１金属容器の開口端に挿入して第１金属容器の第２部分の直径Ｘを拡張すること、及び
第１金属容器の上縁部を仕上げて、第１金属容器と第２金属容器とを結合することを含んでおり、前記仕上げはシーミングすることを含み、第１金属容器の上縁部が二重シーミングされると、第２金属容器の上縁部が二重シーミングされる、方法。
【請求項９】
第１金属容器の第２部分の直径Ｘが拡張されると、第２金属容器の第３部分の直径Ｙが拡張する、請求項８の方法。
【請求項１０】
第１金属容器及び／又は第２金属容器はリブを有する、請求項８の方法。
【請求項１１】
二重壁を有する金属容器を製造する方法であって、
直径Ｘを有する第１金属容器を準備すること、
直径Ｘよりも大きい直径Ｙを有する第２金属容器を準備すること、
第１金属容器を第２金属容器に挿入すること、及び
第１金属容器の第１部分と第２金属容器の第１部分との間に隙間ができるように第１金属容器と第２金属容器とを結合することを含んでおり、前記結合は、
拡張ダイを第１金属容器の開口端に挿入して第１金属容器の第２部分の直径Ｘを拡張すること、及び
第１金属容器の上縁部を仕上げて、第１金属容器と第２金属容器とを結合することを含んでおり、前記仕上げはカーリングすることを含み、第１金属容器の上縁部がカーリングされると、第２金属容器の上縁部がカーリングされる、方法。
【請求項１２】
第１金属容器の第２部分の直径Ｘが拡張されると、第２金属容器の第３部分の直径Ｙが拡張する、請求項１１の方法。
【請求項１３】
第１金属容器及び／又は第２金属容器はリブを有する、請求項１１の方法。
【請求項１４】
二重壁を有する金属容器を製造する方法であって、
直径Ｘを有する第１金属容器を準備すること、
直径Ｘよりも大きい直径Ｙを有する第２金属容器を準備すること、
第１金属容器を第２金属容器に挿入すること、及び
第１金属容器の第１部分と第２金属容器の第１部分との間に隙間ができるように第１金属容器と第２金属容器とを結合することを含んでおり、前記結合は、
拡張ダイを第１金属容器の開口端に挿入して第１金属容器の第２部分の直径Ｘを拡張すること、及び
第２金属容器の第２部分の直径Ｙを縮小して第１金属容器と第２金属容器とを結合することを含み、
拡張ダイの挿入は、第１金属容器を第２金属容器に挿入した後、第２金属容器の第２部分の直径Ｙを縮小する前に行われる、方法。
【請求項１５】
二重壁を有する金属容器を製造する方法であって、
直径Ｘを有する第１金属容器を準備すること、
直径Ｘよりも大きい直径Ｙを有する第２金属容器を準備すること、
第１金属容器を第２金属容器に挿入すること、及び
第１金属容器の第１部分と第２金属容器の第１部分との間に隙間ができるように第１金属容器と第２金属容器とを結合することを含んでおり、前記結合は、
拡張ダイを第１金属容器の開口端に挿入して第１金属容器の第２部分の直径Ｘを拡張すること、及び
第２金属容器の第２部分の直径Ｙを縮小して第１金属容器と第２金属容器とを結合することを含み、
第２金属容器の第２部分の直径Ｙの縮小は、第１金属容器を第２金属容器に挿入した後、拡張ダイを挿入する前に行われる、方法。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
成長ホルモン不全を治療するためのアジュバント組成物であって、該組成物はソマトスタチンに基づく抗原およびアジュバントを含んでいる、免疫原となる量のワクチンを含み、該組成物は成長ホルモン不全を有する患者に投与され、該患者において成長ホルモンレベルが増加する、前記組成物。
【請求項２】
ワクチンが、実質的に不活性化されたＣＡＴ酵素に、機能可能であるように付着したソマトスタチン−１４のキメラポリペプチドを含む、請求項１の組成物。
【請求項３】
アジュバントが有効量のＣａｒｂｏｐｏｌ９７４Ｐを含む、請求項２の組成物。
【請求項４】
アジュバントが、スクアレンおよび非動物起源のＴｗｅｅｎ８０をさらに含む、請求項３の組成物。
【請求項５】
患者が、成長不全を有する成人である、請求項１の組成物。
【請求項６】
患者が、成長不全を有する小児である、請求項１の組成物。
【請求項７】
成長ホルモン不全に関して治療中の患者が粘膜疾患を有する、請求項１の組成物。
【請求項８】
成長ホルモン不全に関して治療中の患者が心臓疾患を有する、請求項１の組成物。
【請求項９】
成長ホルモン不全に関して治療中の患者が肥満である、請求項１の組成物。
【請求項１０】
患者が肥満したイヌである、請求項１の組成物。
【請求項１１】
患者が肥満したネコである、請求項１の組成物。
【請求項１２】
患者が、軟骨修復が必要なウマである、請求項１の組成物。
【請求項１３】
インスリン様増殖因子１不全を治療するためのアジュバント組成物であって、該組成物はソマトスタチンに基づく抗原およびアジュバントを含んでいる、免疫原となる量のワクチンを含み、該組成物はインスリン様増殖因子１不全を有する患者に投与され、該患者においてインスリン様増殖因子１レベルが増加する、前記組成物。
【請求項１４】
インスリン様増殖因子１不全に関して治療中の患者が１型または２型糖尿病を有する、請求項１３の組成物。
【請求項１５】
インスリン様増殖因子１不全に関して治療中の患者がストレス障害を有する、請求項１３の組成物。
【請求項１６】
インスリン様増殖因子１不全に関して治療中の患者が心臓疾患を有する、請求項１３の組成物。
【請求項１７】
脊椎動物を治療するためのワクチンにおいて使用するためのアジュバントであって：
Ｃａｒｂｏｐｏｌ９７４Ｐ基剤；
スクアレン基剤；および
アラビノガラクタン溶液
を含み；
脊椎動物におけるヒト成長ホルモンまたはインスリン様増殖因子１不全の治療のため、ソマトスタチンに基づく抗原のキャリアーとして作用する
前記アジュバント。
【請求項１８】
スクアレン基剤が、スクアレン、非動物起源Ｔｗｅｅｎ８０およびＳｐａｎ８５の組み合わせである、請求項１７のアジュバント。
【請求項１９】
ソマトスタチンに基づく抗原が、実質的に不活性化されたＣＡＴ酵素に連結されたソマトスタチン−１４である、請求項１７のアジュバント。
【請求項２０】
不活性化されたＣＡＴ酵素が、アラニン、グリシンまたは他の類似のアミノ酸で置換された１以上の野生型ヒスチジン残基を有する、請求項１７のアジュバント。
【請求項２１】
成長ホルモンおよび／またはインスリン様増殖因子１不全を有する患者の治療のためのワクチンであって：
免疫原となる量のソマトスタチンに基づく抗原；ならびに
少なくともＣａｒｂｏｐｏｌ９７４Ｐ、スクアレンおよびアラビノガラクタンを含むアジュバント
を含む、前記ワクチン。
【請求項２２】
ソマトスタチンに基づく抗原が、不活性化されたＣＡＴ酵素に付着したソマトスタチン−１４である、請求項２１のワクチン。
【請求項２３】
不活性化されたＣＡＴ酵素が、アラニン、グリシンまたは他の類似のアミノ酸で置換された１以上の野生型ヒスチジン残基を有する、請求項２２のワクチン。
【請求項２４】
肥満を治療するためのアジュバント組成物であって、該組成物はソマトスタチンに基づく抗原およびアジュバントを含んでいる、免疫原となる量のワクチンを含み、該組成物は肥満を有する患者に投与され、該患者において肥満の治療を進行させる、前記組成物。
【請求項２５】
患者が、ヒト、イヌ、ネコまたはウマである、請求項２４の組成物。
【手続補正書】
【提出日】平成24年6月7日(2012.6.7)
【手続補正１】
【補正対象書類名】明細書
【補正対象項目名】００２５
【補正方法】変更
【補正の内容】
【００２５】
水素添加は、液相中で連続に、例えば、ダウンフロー方式（Ｒｉｅｓｅｌｆａｈｒｗｅｉｓｅ）またはアップフロー方式（Ｓｕｍｐｆｆａｈｒｗｅｉｓｅ）に従い、固定配置の触媒によって遂行される。
【手続補正２】
【補正対象書類名】明細書
【補正対象項目名】００２８
【補正方法】変更
【補正の内容】
【００２８】
水素添加は、液相中で、管型反応器中において固定配置の触媒に接触でもって連続的に実施される。平行して密に接続された複数の管の束も管型反応器であると解釈される。ヒドロキシピバリンアルデヒドの水素添加は、バッフル類なしに、そして撹拌装置なしに管型反応器中で行われる。
【手続補正書】
【提出日】平成24年3月7日(2012.3.7)
【手続補正１】
【補正対象書類名】明細書
【補正対象項目名】発明の名称
【補正方法】変更
【補正の内容】
【発明の名称】自動車及びジョイント装置
【手続補正２】
【補正対象書類名】明細書
【補正対象項目名】０００１
【補正方法】変更
【補正の内容】
【０００１】
本発明は、請求項１の上位概念部に記載した、ピン状の保持体を備えたジョイント装置、並びに請求項５の上位概念部に記載した少なくとも１つのアクスルハウジングと、該アクスルハウジングのための支持部とを備えた自動車に関する。
【手続補正３】
【補正対象書類名】明細書
【補正対象項目名】０００４
【補正方法】変更
【補正の内容】
【０００４】
このような形式又は類似の形式のリンクをアクスルハウジングに可動に支持するために、ピン状の保持体が公知である。このピン状の保持体は、組み立てた状態で、例えばその拡大されたディファレンシャルハウジングの領域において、アクスルハウジングから上方に延在していて、ジョイントヘッドを支持しており、該ジョイントヘッドに単数又は複数のリンクが係合するようになっている。この保持体は、多くの場合、鍛造部品として構成されていて、そのベース領域がフランジ状に広がっており、それによって、アクスルハウジングと結合できるようになっている（大抵の場合、ねじ結合を介して）。このような、ピンフランジとも称呼されている鍛造部品は、車両運転中に強い負荷にさらされる。しかしながら、ピン軸線に対してほぼ直角に延在するフランジ状のフット拡大部によって、保持体は複雑な形状を有することになる。従って、鍛造プロセス中に、材料内の繊維配向が構成部分を完全に貫通し、途中で外へ流れ出すことがないようにすることは、非常に困難である。それ故、このような構成部材の耐用年数及び十分な安全性の余裕は、繊維配向に応じて非常に異なっている。このような構成部分の、繊維配向を考慮した非破壊材料検査は、不可能であるので、これによって構成部分の早期の故障に関連した不確実性が生じる。
米国特許出願公開第６１０９６３０号明細書には、アクスルハウジングを備えた自動車が示されており、このアクスルハウジングには、一体形成された支持装置がアクスルハウジングに結合されつつピン状に突出した保持体を介して係合している。また、ピン状に突出した保持体のほかに独立したフランジ体が形成されており、このフランジ体によって保持体がアクスルハウジング方向の力を受けることができるようになっている。
【手続補正４】
【補正対象書類名】明細書
【補正対象項目名】０００６
【補正方法】変更
【補正の内容】
【０００６】
この課題は本発明によれば、特に請求項１の特徴を有する、実用車両である自動車用のピン状の保持体を備えたジョイント装置によって解決された。本発明の有利な構成及び実施態様は、従属請求項２乃至１１に記載されている。
【手続補正５】
【補正対象書類名】特許請求の範囲
【補正対象項目名】全文
【補正方法】変更
【補正の内容】
【特許請求の範囲】
【請求項１】
ピン状の保持体（５）を備えたジョイント装置（１）であって、前記ピン状の保持体（５）の、ヘッド側の軸方向の端部に、単数又は複数の部分より成る支持装置（２；３）に係合するジョイントヘッド（４）が設けられており、前記保持体（５）の、ベース領域（５ａ；５ｂ）が、自動車のアクスルハウジング（１０）に接続可能である形式のものにおいて、
前記ジョイント装置（１）が、ピン状に延在する保持体（５）に隣接して別個のフランジ体（８）を有しており、該フランジ体（８）によって保持体（５）が、該保持体（５）をアクスルハウジング（１０）に接続するために、該保持体（５）のベース領域（５ａ；５ｂ）に向かう方向に負荷され得るようになっていることを特徴とする、ジョイント装置（１）。
【請求項２】
前記フランジ体（８）がほぼプレート状に構成されていて、保持体（５）のための中央の貫通開口（１２）と、該貫通開口（１２）を包囲する、段付けされた、又はテーパ状に広げられた支持部（１３；１３ａ）とを有しており、該支持部（１３；１３ａ）が、保持体（５）のベース領域（５ａ；５ｂ）の支持部（１４；１４ａ）に押し被せ嵌められるようになっている、請求項１記載のジョイント装置（１）。
【請求項３】
前記保持体（５）とフランジ体（８）とが、組み立て可能な１つの共通の既製の構成ユニットを形成している、請求項１又は２記載のジョイント装置（１）。
【請求項４】
前記フランジ体（８）が保持体（５）に相対回動不能に圧着されている、請求項３記載のジョイント装置（１）。
【請求項５】
自動車であって、少なくとも１つのアクスルハウジング（１０）を有しており、該アクスルハウジング（１０）に、単数又は複数の部分より成る支持装置が、アクスルハウジングに接続された、ピン状に延在する保持体（５）を介して係合する形式のものにおいて、
ピン状に延在する前記保持体（５）に隣接して別個のフランジ体（８）が形成されており、該フランジ体（８）によって、前記保持体（５）がアクスルハウジング（１０）に向かう方向に負荷され得るようになっていることを特徴とする、自動車。
【請求項６】
ピン状に延在する前記保持体（５）が鍛造部品である、請求項５記載の自動車。
【請求項７】
鍛造部品としての前記保持体（５）の半径方向の延在寸法が、軸方向の延在寸法に比較して小さい、請求項６記載の自動車。
【請求項８】
前記保持体（５）が、シャフト領域に対して拡大されたベース領域（５ａ；５ｂ）を有していて、該ベース領域にフランジ体（８）が押し付けられ、かつ被せ嵌められるようになっている、請求項５から７までのいずれか１項記載の自動車。
【請求項９】
前記フランジ体（８）が、ほぼプレート状に構成されていて、保持体（５）のための中央の貫通開口（１２）と、該貫通開口（１２）を包囲する、段付けされかつ／またはテーパ状に広げられた、保持体（５）のベース領域（５ａ；５ｂ）に押し被せ嵌めるための支持部（１３；１３ａ）を有している、請求項８記載の自動車。
【請求項１０】
互いに組み合わせ可能な保持体（５）及びフランジ体（８）の複数の組み合わせが設けられていて、これらの組み合わせを、アクスルハウジング（１０）及び／又は係合する支持装置の幾何学形状に応じて使用することができる、請求項５から９までのいずれか１項記載の自動車。
【請求項１１】
前記支持装置（２；３）が三角アーム装置によって形成されていて、該三角アーム装置の三角形の先端部が、保持体（５）に緊締可能なジョイント（４）を介して保持体（５）に係合するようになっている、請求項５から１０までのいずれか１項記載の自動車。